【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
充電可能な蓄電手段を有する記録ヘッドと、
前記蓄電手段の残容量に基づいて、前記記録ヘッドによる記録データに基づく記録を完了できるか否かを判定する判定手段と、
前記蓄電手段に電力を供給するための電源ラインと、前記記録データを転送するための転送ラインとを有する配線と、
前記判定手段により完了できると判定された場合に、前記蓄電手段の充電を行わずに前記配線を介して前記記録データを前記記録ヘッドに転送し、前記判定手段により完了できないと判定された場合に、前記配線を介して前記蓄電手段の充電を行いつつ前記記録データを前記記録ヘッドに転送するように制御する制御手段と、
を備えることを特徴とする記録装置。
【請求項２】
前記判定手段により完了できないと判定された場合に、前記蓄電手段を満充電状態まで充電するまでに、前記記録ヘッドへの前記記録データの転送が完了できるか否かを判定する第２判定手段、をさらに備え、
前記第２判定手段により完了できると判定された場合に、前記制御手段は、前記蓄電手段の充電を行いつつ前記記録データを転送するように制御する、
ことを特徴とする請求項１に記載の記録装置。
【請求項３】
前記第２判定手段により完了できないと判定された場合に、前記制御手段は、前記蓄電手段を当該記録データに基づく記録を完了できる分まで充電した後に、前記記録データを転送するように制御することを特徴とする請求項２に記載の記録装置。
【請求項４】
前記制御手段は、前記判定手段により完了できないと判定された場合に、前記記録データの転送中に前記蓄電手段が満充電状態とならないように、前記蓄電手段を蓄電するための電流値を小さくするように制御し、前記配線を介して前記蓄電手段の充電を行いつつ前記記録データを前記記録ヘッドに転送することを特徴とする請求項１に記載の記録装置。
【請求項５】
前記判定手段は、前記蓄電手段の残容量及び前記記録ヘッドに転送する前記記録データの大きさに基づいて、記録を完了できるか否かを判定することを特徴とする請求項１乃至４のいずれか１項に記載の記録装置。
【請求項６】
前記配線は、単一層からなるフレキシブル配線であることを特徴とする請求項１乃至５のいずれか１項に記載の記録装置。
【請求項７】
定電流を生成する定電流回路をさらに有し、
前記定電流回路で生成された定電流により前記蓄電手段を充電する、ことを特徴とする請求項１乃至６のいずれか１項に記載の記録装置。
【請求項８】
前記記録ヘッドからのインク吐出は、前記蓄電手段を電源として行われることを特徴とする請求項１乃至７のいずれか１項に記載の記録装置。
【請求項９】
充電可能な蓄電手段を有する記録ヘッドと、前記蓄電手段に電力を供給するための電源ラインと記録データを転送するための転送ラインとを有する配線と、を備える記録装置において実行される制御方法であって、
前記蓄電手段の残容量に基づいて、前記記録ヘッドによる前記記録データに基づく記録を完了できるか否かを判定する判定工程と、
前記判定工程において完了できると判定された場合に、前記蓄電手段の充電を行わずに前記配線を介して前記記録データを前記記録ヘッドに転送し、前記判定工程において完了できないと判定された場合に、前記配線を介して前記蓄電手段の充電を行いつつ前記記録データを前記記録ヘッドに転送するように制御する制御工程と、
を有することを特徴とする制御方法。
【請求項１０】
充電可能な蓄電手段を有する記録ヘッドと、
前記蓄電手段の残容量に基づいて、前記記録ヘッドによる記録データに基づく記録を完了できるか否かを判定する判定手段と、
前記蓄電手段に電力を供給するための電源ラインと、前記記録データを転送するための転送ラインとを有する配線と、
前記判定手段により完了できると判定された場合に、前記蓄電手段の充電を行わずに前記記録データを前記配線を介して前記記録ヘッドに転送し、前記判定手段により完了できないと判定された場合に、前記蓄電手段を前記配線を介して充電を行いつつ前記記録データを前記配線を介して前記記録ヘッドに転送する制御をする制御手段と、
を備えることを特徴とする記録システム。
【請求項１１】
前記記録システムは、記録装置と、情報処理装置とを有し、
前記情報処理装置は、前記判定手段を有し、
前記記録装置は、前記記録ヘッドと、前記配線と、前記制御手段とを有し、前記判定手段の判定結果に基づいて、前記制御手段による制御を行う、
ことを特徴とする請求項１０に記載の記録システム。
【請求項１２】
前記判定手段により完了できないと判定された場合に、前記蓄電手段を満充電状態まで充電するまでに、前記記録ヘッドへの前記記録データの転送が完了できるか否かを判定する第２判定手段、をさらに備え、
前記第２判定手段により完了できると判定された場合に、前記制御手段は、前記蓄電手段の充電を行いつつ前記記録データを転送するように制御する、
ことを特徴とする請求項１１に記載の記録システム。
【請求項１３】
前記第２判定手段により完了できないと判定された場合に、前記制御手段は、前記蓄電手段を当該記録データに基づく記録を完了できる分まで充電した後に、前記記録データを転送するように制御することを特徴とする請求項１２に記載の記録システム。
【請求項１４】
前記制御手段は、前記判定手段により完了できないと判定された場合に、前記記録データの転送中に前記蓄電手段が満充電状態とならないように、前記蓄電手段を蓄電するための電流値を小さくするように制御し、前記配線を介して前記蓄電手段の充電を行いつつ前記記録データを前記記録ヘッドに転送することを特徴とする請求項１３に記載の記録システム。
【請求項１５】
前記判定手段は、前記蓄電手段の残容量及び前記記録ヘッドに転送する前記記録データの大きさに基づいて、記録を完了できるか否かを判定することを特徴とする請求項１０乃至１４のいずれか１項に記載の記録システム。
【請求項１６】
前記配線は、単一層からなるフレキシブル配線であることを特徴とする請求項１０乃至１５のいずれか１項に記載の記録システム。
【請求項１７】
充電可能な蓄電手段を有する記録ヘッドと、前記蓄電手段に電力を供給するための電源ラインと記録データを転送するための転送ラインとを有する配線と、を備える記録システムにおいて実行される制御方法であって、
前記蓄電手段の残容量に基づいて、前記記録ヘッドによる記録データに基づく記録を完了できるか否かを判定する判定工程と、
前記判定工程において完了できると判定された場合に、前記蓄電手段の充電を行わずに前記記録データを前記配線を介して前記記録ヘッドに転送し、前記判定工程において完了できないと判定された場合に、前記蓄電手段を前記配線を介して充電を行いつつ前記記録データを前記配線を介して前記記録ヘッドに転送する制御をする制御工程と、
を有することを特徴とする制御方法。
【手続補正２】
【補正対象書類名】明細書
【補正対象項目名】０００９
【補正方法】変更
【補正の内容】
【０００９】
上記課題を解決するため、本発明に係る記録装置は、充電可能な蓄電手段を有する記録ヘッドと、前記蓄電手段の残容量に基づいて、前記記録ヘッドによる記録データに基づく記録を完了できるか否かを判定する判定手段と、前記蓄電手段に電力を供給するための電源ラインと、前記記録データを転送するための転送ラインとを有する配線と、前記判定手段により完了できると判定された場合に、前記蓄電手段の充電を行わずに前記配線を介して前記記録データを前記記録ヘッドに転送し、前記判定手段により完了できないと判定された場合に、前記配線を介して前記蓄電手段の充電を行いつつ前記記録データを前記記録ヘッドに転送するように制御する制御手段と、を備えることを特徴とする。